(57)【要約】【課題】カードコネクタの全長が長くならず、コンタクトの接触部がカード又はカードトレイにより損傷し難いカードコネクタを提供する。【解決手段】内部に電気カードを受容するためのカードコネクタは、基部、及び基部に設けられた複数のコンタクトを具備する。各コンタクトは、カードコネクタに挿入される電気カードに電気接触するよう構成された接触部と、基部から延びると共に接触部で交差する２本の弾性アームを有する支持部とを具備する。接触部は、２本の弾性アームにより形成される２つの縁の頂点として機能する。２本の弾性アームは、接触部が上下方向に弾性的に変位できるよう構成される。２本の弾性アームは、接触部を通る平面の両側にカード挿入方向に直交して配置される。【選択図】図５
2015185544.tif 000002
【特許請求の範囲】
【請求項１】
内部に電気カード（１００）を受容するためのカードコネクタであって、
基部（１０）と、該基部に設けられた複数のコンタクト（２０）とを具備し、
前記コンタクトの各々は、前記カードコネクタに挿入される前記電気カードに電気接触するよう構成された接触部（２２）と、前記基部から延びると共に前記接触部で交差する２本の弾性アーム（２４２，２４４）を有する支持部（２４）とを具備し、
前記接触部は、前記２本の弾性アームにより形成される２つの縁の頂点として機能し、
前記２本の弾性アームは、前記接触部が上下方向に弾性的に変位できるよう構成され、
前記２本の弾性アームは、前記接触部を通る平面（Ｐ）の両側にカード挿入方向（Ａ）に直交して配置されることを特徴とするカードコネクタ。
【請求項２】
前記２本の弾性アームはＶ形状支持部を構成し、
前記接触部はＶ形状支持部の頂点として機能することを特徴とする請求項１記載のカードコネクタ。
【請求項３】
前記支持部の前記２本の弾性アーム間にシート状部材が連結されて三角形支持部を形成し、
前記シート状部材には前記接触部を回路基板に半田付けするための半田付け部が形成されることを特徴とする請求項１記載のカードコネクタ。
【請求項４】
前記２本の弾性アームはＵ形状支持部を構成し、
前記接触部はＵ形状支持部の頂点として機能することを特徴とする請求項１記載のカードコネクタ。
【請求項５】
前記２本の弾性アームの各々の前記平面に対する角度は、20〜60°の範囲内になるよう設定されることを特徴とする請求項１ないし請求項４のうちいずれか１項記載のカードコネクタ。
【請求項６】
前記コンタクトの各々の前記２本の弾性アームのうちの一方は、前記カード挿入方向に沿った前記平面の前側に位置し、
他方は前記カード挿入方向に沿った前記平面の後側に位置することを特徴とする請求項５記載のカードコネクタ。
【請求項７】
前記コンタクトの各々の前記２本の弾性アームのうちの一方の前記平面に対する角度は、前記コンタクトの各々の前記２本の弾性アームのうちの他方の前記平面に対する角度と等しくなるよう設定されることを特徴とする請求項６記載のカードコネクタ。
【請求項８】
前記２本の弾性アームは同じ長さを有することを特徴とする請求項７記載のカードコネクタ。
【請求項９】
前記２本の弾性アームの各々の平面に対する角度は、45°に設定されることを特徴とする請求項７又は請求項８記載のカードコネクタ。
【請求項１０】
前記複数のコンタクトの前記接触部は、前記カード挿入方向と平行な２本の直線に２列で配列されることを特徴とする請求項９記載のカードコネクタ。
【請求項１１】
前記複数のコンタクトの前記接触部は、前記カード挿入方向と平行な２本の直線に２列で配列され、
前記複数のコンタクトの前記支持部は、前記接触部の各列の両側に交互に配列されることを特徴とする請求項９記載のカードコネクタ。
【請求項１２】
前記接触部の各列の隣接する２個の前記接触部間の距離は、線上に突出する前記接触部の列の一側で前記支持部の列の隣接する２個の前記支持部の隣接する前記２本の弾性アームの全長より小さくなるよう設定されることを特徴とする請求項１１記載のカードコネクタ。
【請求項１３】
前記コンタクトの各々の前記２本の弾性アームは、同じ長さを有すると共に前記平面に対して同一角度を画定し、
前記接触部の各列は３個又は４個の接触部を具備することを特徴とする請求項１１又は請求項１２記載のカードコネクタ。
【請求項１４】
前記接触部の各列の隣接する２個の前記接触部間の距離は、2.54mmとなるように設定されることを特徴とする請求項１３記載のカードコネクタ。
【請求項１５】
前記基部は、その内部に前記電気カードを受容する収容空間を画定し、
前記コンタクトの前記接触部は、前記収容空間内に突出することを特徴とする請求項１３記載のカードコネクタ。
【請求項１６】
複数のコンタクトは２グループのコンタクトを具備し、
一方のグループの前記コンタクトは、１枚の前記電気カードと電気接続するよう構成され、
他方のグループの前記コンタクトは、別の前記電気カードと電気接続するよう構成されることを特徴とする請求項１記載のカードコネクタ。
【発明の詳細な説明】
【技術分野】
【０００１】
本発明は、カードコネクタに関し、特にカードコネクタへ又はカードコネクタからカード又はカードトレイを挿抜する際に、コンタクトがカード又はカードトレイによって損傷することを防止することができるカードコネクタに関する。
【背景技術】
【０００２】
図１は、従来技術のカードコネクタの基部上のコンタクト配置を示す。図１に示されるように、各コンタクト１は、カード１００の挿入方向Ａに沿って延びるよう構成される。各コンタクト１は、単一の弾性アーム１ｂと、弾性アーム１ｂの一端の接触部１ａとを具備する。
【発明の概要】
【発明が解決しようとする課題】
【０００３】
コンタクト１が図１の紙面に直行する方向に変形できるようにするために、弾性アーム１ｂは、十分に大きな弾性力を提供すべく十分な長さを有する。この結果、カード挿入方向Ａに沿って隣接する２個の接触部１ａ間の距離は長くなってしまう。例えば、図１に示されるように、距離ｄ１は7.62mmに等しい。この結果、カード挿入方向Ａに沿ったコネクタの全長は長くなる。
【０００４】
さらに、各コンタクト１は単一の弾性アーム１ｂのみを具備するので、コンタクト１の接触部１ａはカード１００又はカードトレイに引っ掻かれ易く、カードコネクタへ又はカードコネクタからカード又はカードトレイを挿抜する際、特にカードコネクタから空のカードトレイを抜去する際に、コンタクト１が損傷し易い。
【課題を解決するための手段】
【０００５】
本発明は、上述の欠点の少なくとも一側面を克服又は緩和するためになされたものである。
【０００６】
本発明の一態様によれば、基部、及び基部に設けられた複数のコンタクトを具備する、内部に電気カードを受容するためのカードコネクタが提供される。各コンタクトは、カードコネクタに挿入される電気カードに電気接触するよう構成された接触部と、基部から延びると共に接触部で交差する２本の弾性アームを有する支持部とを具備する。接触部は、２本の弾性アームにより形成される２つの縁の頂点として機能する。２本の弾性アームは、接触部が上下方向に弾性的に変位できるよう構成される。２本の弾性アームは、接触部を通る平面の両側にカード挿入方向に直交して配置される。
【０００７】
本発明の典型的な一実施形態によれば、２本の弾性アームはＶ形状支持部を構成し、接触部はＶ形状支持部の頂点として機能する。
【０００８】
本発明の典型的な別の実施形態によれば、支持部の２本の弾性アーム間にシート状部材が連結されて三角形支持部を形成し、シート状部材には接触部を回路基板に半田付けするための半田付け部が形成される。
【０００９】
本発明の典型的な別の実施形態によれば、２本の弾性アームはＵ形状支持部を構成し、接触部はＵ形状支持部の頂点として機能する。
【００１０】
本発明の典型的な別の実施形態によれば、２本の弾性アームの各々の平面に対する角度は、20〜60°の範囲内になるよう設定される。
【００１１】
本発明の典型的な別の実施形態によれば、各コンタクトの２本の弾性アームのうちの一方はカード挿入方向に沿った平面の前側に位置し、他方はカード挿入方向に沿った平面の後側に位置する。
【００１２】
本発明の典型的な別の実施形態によれば、各コンタクトの２本の弾性アームのうちの一方の平面に対する角度は、各コンタクトの２本の弾性アームのうちの他方の平面に対する角度と等しくなるよう設定される。
【００１３】
本発明の典型的な別の実施形態によれば、２本の弾性アームは同じ長さを有する。
【００１４】
本発明の典型的な別の実施形態によれば、２本の弾性アームの各々の平面に対する角度は、45°に設定される。
【００１５】
本発明の典型的な別の実施形態によれば、複数のコンタクトの接触部は、カード挿入方向と平行な２本の直線に２列で配列される。
【００１６】
本発明の典型的な別の実施形態によれば、複数のコンタクトの接触部は、カード挿入方向と平行な２本の直線に２列で配列され、複数のコンタクトの支持部は、接触部の各列の両側に交互に配列される。
【００１７】
本発明の典型的な別の実施形態によれば、接触部の各列の隣接する２個の接触部間の距離は、線上に突出する接触部の列の一側で支持部の列の隣接する２個の支持部の隣接する２本の弾性アームの全長より小さくなるよう設定される。
【００１８】
本発明の典型的な別の実施形態によれば、各コンタクトの２本の弾性アームは、同じ長さを有すると共に平面に対して同一角度を画定し、接触部の各列は３個又は４個の接触部を具備する。
【００１９】
本発明の典型的な別の実施形態によれば、接触部の各列の隣接する２個の接触部間の距離は、2.54mmとなるように設定される。
【００２０】
本発明の典型的な別の実施形態によれば、基部はその内部に電気カードを受容する収容空間を画定し、コンタクトの接触部は収容空間内に突出する。
【００２１】
本発明の典型的な別の実施形態によれば、複数のコンタクトは２グループのコンタクトを具備し、一方のグループのコンタクトは１枚の電気カードと電気接続するよう構成され、他方のグループのコンタクトは別の電気カードと電気接続するよう構成される。
【００２２】
添付図面を参照して本発明の典型的な実施形態を詳細に説明することで、本発明の上述した特徴及び他の特徴が明白になるであろう。
【図面の簡単な説明】
【００２３】
【図１】従来技術におけるカードコネクタの基部上のコンタクトの配置を示す平面図である。ここで、カードコネクタに合致するＳＩＭカードもカードコネクタの下に示される。
【図２】本発明の典型的な一実施形態に係るカードコネクタの基部上のコンタクトの配置を示す平面図である。
【図３】本発明の典型的な別の実施形態に係るカードコネクタの基部上のコンタクトの配置を示す平面図である。
【図４】本発明の典型的なさらに別の実施形態に係るカードコネクタの基部上のコンタクトの配置を示す平面図である。
【図５】本発明の典型的な一実施形態に係るカードコネクタの平面図である。ここで、カードコネクタに合致するＳＩＭカードもカードコネクタの下に示される。
【図６】本発明の典型的な一実施形態に係るカードコネクタの斜視図である。ここで、カードコネクタのケースが取り除かれている。
【図７】図６のカードコネクタにＳＩＭカードを挿入した状態を示す斜視図である。
【図８】図６のカードコネクタの別の斜視図である。ここで、カードトレイはカードコネクタから部分的に引き出され、カードアダプタはカードトレイ上に設けられる。
【図９】(ａ) 図８のコネクタの平面図である。(ｂ) 図９(ａ)のＢ−Ｂ線に沿ったカードコネクタの断面図である。(ｃ)図９(ｂ)のカードコネクタの断面図の２つの局所の拡大図である。
【図１０】図５のカードコネクタに適合するカードトレイの平面図である。
【図１１】図６のカードコネクタに適合するカードトレイの平面図である。
【発明を実施するための形態】
【００２４】
以下、添付図面を参照して、本発明の典型的な実施形態を詳細に説明する。ここで、同じ要素には同じ参照番号が付与される。しかし、本発明は、多くの異なる形態で実施することができ、以下に説明する実施形態に限定するものとして解釈してはならない。むしろ、本発明が徹底的且つ完全であり、本開示のコンセプトを当業者に十分に伝えるようにこれらの実施形態が提供される。
【００２５】
以下の詳細な説明において、説明の目的で、開示された実施形態を完全に理解してもらうように、具体的な数字の詳細が記載されている。しかし、１以上の実施形態は、これらの具体的な詳細を有することなく実施することができることが明白であろう。他の例では、周知の構造及びデバイスは、図面を簡単にするために概略的に示される。
【００２６】
本発明の総括的コンセプトによれば、基部、及び基部に設けられた複数のコンタクトを具備する、内部に電気カードを受容するためのカードコネクタが提供される。各コンタクトは、カードコネクタに挿入される電気カードに電気接触するよう構成された接触部と、基部から延びる２本の弾性アームを有すると共に接触部で交差する支持部とを具備する。接触部は、２本の弾性アームにより形成される２つの縁の頂点として機能する。２本の弾性アームは、接触部が上下方向に弾性的に変位できるよう構成される。２本の弾性アームは、接触部を通る平面の両側に電気カードがカードコネクタに挿入されるカード挿入方向に直交して配置される。
【００２７】
図２は、本発明の典型的な一実施形態に係るカードコネクタの基部上のコンタクトの配置を示す平面図である。図３及び図４は、カードコネクタの基部上の別のコンタクトの配置を示す平面図である。図５及び図６は、本発明の典型的な一実施形態に係るカードコネクタの平面図である。
【００２８】
図２ないし図６に示されるように、カードコネクタは、例えばＳＩＭカード１００等の電気カードを内部に受容するよう構成される。カードコネクタは基部１０（図５及び図６参照）を具備する。基部１０には複数のコンタクト２０が設けられる。基部１０は、内部に電気カード１００を受容するための収容空間を画定する。そして、電気カード１００は、カード挿入方向Ａに沿って収容空間内に挿入される。各コンタクト２０は、電気カード１００表面の各パッド１１０に電気接触するよう構成された接触部２２と、頂点に接触部２２が配置された支持部２４とを具備する。支持部２４は、収容空間（図６参照）内に弾性的に突出する。支持部２４は、基部１０から延びると共に接触部２２で交差する２本の弾性アーム２４２，２４４を有する。接触部２２は、２本の弾性アーム２４２，２４４により形成される２つの縁の頂点として機能する。２本の弾性アーム２４２，２４４は、接触部２２を通る平面Ｐの両側にカード挿入方向Ａに直交して配置される。例えば、図２及び図５に示されるように、平面Ｐは、図２及び図５に示されるカードコネクタの平面図における線として示される。２本の弾性アーム２４２，２４４は平面Ｐの両側に配置されることが明瞭に見える。弾性アーム２４２はカード挿入方向Ａに沿った後側弾性アームとして看做され、弾性アーム２４４はカード挿入方向Ａに沿った前側弾性アームとして看做される。
【００２９】
このように、ＳＩＭカード１００がカード挿入方向Ａに挿入されると、図７に示されるように、カード１００は、最初に支持部２４の前側弾性アーム２４４に接触し、前側弾性アーム２４４を押下する。このように、支持部２４は徐々に押下され、支持部２４の接触部２２は下方へ変位するので、カード１００は支持部２４（すなわちコンタクト２０）上を摺動することができる。前側弾性アーム２４４は、カード挿入方向Ａにカードを挿入する際に、カード１００を案内して支持部２４上を摺動し、その結果、接触部２２（すなわちコンタクト２０）がカードに引っ掻かれることと防止する。
【００３０】
同様に、ＳＩＭカード１００は、カード挿入方向Ａとは逆向きにカードから引き出されると、カード１００は、最初に支持部２４の後側弾性アーム２４２に接触し、後側弾性アーム２４２を押下する。このように、支持部２４は徐々に押下され、支持部２４の接触部２２は下方へ変位するので、カード１００は支持部２４（すなわちコンタクト２０）上を摺動することができる。後側弾性アーム２４２は、カード挿入方向Ａとは逆向きにカードを抜去する際に、カード１００を案内して支持部２４上を摺動し、その結果、接触部２２（すなわちコンタクト２０）がカードに引っ掻かれることを防止する。
【００３１】
弾性アーム２４２及び弾性アーム２４４は平面Ｐの両側に配置されているので、カードは常に、カード挿入方向Ａかカード抜去方向かに関わらず、各コンタクト２０の弾性アーム２４２，２４４の一方により円滑に案内される。
【００３２】
各コンタクト２０の２本の弾性アーム２４２，２４４の各々の平面Ｐに対する角度は90°未満となるよう設計されていることが明瞭に見える。典型的な一実施形態において、各コンタクト２０の２本の弾性アーム２４２，２４４の各々の平面Ｐに対する角度は、20〜60°の範囲になるよう設計される。このように、カードコネクタへ又はカードコネクタからカード又はカードトレイを挿抜する際、特に空のカードトレイを抜去する際に、コンタクトの接触部が引っ掻かれることを防止し、コンタクトがカード又はカードトレイによって損傷することを効果的に防止することができる。
【００３３】
上記説明は、カードトレイ２００をコネクタ内に挿入又はコネクタから抜去する場合にも当てはまる。すなわち、カードトレイ２００のフレームは常に、各コンタクト２０の２本の弾性アーム２４２，２４４の一方により円滑に案内され、コンタクト２０の接触部又は他の部分を引っ掻くことはない。
【００３４】
図８に示されるように、カードトレイ２００はカードコネクタから部分的に引き出され、カードアダプタ２１０がカードトレイ２００上に実装される。また、カードアダプタ２１０の代わりにカードトレイ２００内にＳＩＭカードを直接挿入してもよい。
【００３５】
図９(ａ)は、図８のカードコネクタの平面図である。図９(ｂ)は、図９(ａ)のＢ−Ｂ線に沿ったカードコネクタの断面図である。図９(ｃ)は、図９(ｂ)のカードコネクタの断面図の２つの局所の拡大図である。図６及び図８のカードコネクタに適合するカードトレイは図１１に示され、図５のカードコネクタに適合するカードトレイは図１０に示される。
【００３６】
カードトレイ２００が図８、図９(ａ)及び図９(ｃ)に示されるようにカードコネクタから抜去されるなら、カードトレイ２００のフレーム２２０は、弾性アーム２４２を直接押圧し、コンタクトの接触部２２を下方へ変位させるので、カードコネクタからカードトレイ２００をさらに引き出す際に、コンタクトの接触部２２が引っ掻かれることが防止され、コンタクトが損傷することが防止される。
【００３７】
本発明の典型的な一実施形態において、コンタクトの２本の弾性アーム２４２，２４４が平面Ｐの両側に配置される限り、カードコネクタからカード又はカードトレイが引き出される際に、コンタクトの接触部２２がカード又はカードトレイにより引っ掻かれるリスクを効果的に無くし又は最小にすることができる。
【００３８】
図示されていないが、支持部の弾性アーム２４２，２４４の間にシート状部材を連結して三角形支持部を形成してもよいし、コンタクト２０を回路基板に半田付けするための半田付け部をシート状部材に形成してもよい。この場合、支持部は十分な柔軟性を有さなければならないことに留意されたい。一実施形態において、２本の弾性アームはＵ形状支持部を構成し、接触部はＵ形状支持部の頂点として機能する。
【００３９】
図２ないし図６に示されるように、２本の弾性アーム２４２，２４４はＶ形状支持部を構成し、接触部はＶ形状支持部の頂点として機能する。
【００４０】
上述したように、各コンタクト２０について、弾性アーム２４４は、カード挿入方向Ａに沿って平面Ｐの前側に配置されて前側弾性アームと称され、弾性アーム２４２は、カード挿入方向Ａに沿って平面Ｐの後側に配置されて後側弾性アームと称される。典型的な一実施形態において、１個のコンタクトの前側弾性アームは別のコンタクトの前側弾性アーム又は後側弾性アームと平行であってもよいし、１個のコンタクトの後側弾性アームは別のコンタクトの後側弾性アーム又は前側弾性アームと平行であってもよい
【００４１】
典型的な一実施形態において、各コンタクト２０の２本の弾性アーム２４２，２４４のうち一方の平面Ｐに対する角度は、各コンタクト２０の２本の弾性アーム２４２，２４４のうち他方の平面Ｐに対する角度と等しくなるよう設計される。図２ないし図６に示されるように、２本の弾性アーム２４２，２４４の各々の平面Ｐに対する角度は45°と等しくてもよいし、２本の弾性アーム２４２，２４４は同じ長さを有してもよい。２本の弾性アームの平面Ｐに対する角度は互いに異なってもよく、対応して、２本の弾性アームは異なる長さを有してもよいことに留意されたい。
【００４２】
図３に示されるように、複数のコンタクト２０の全ての接触部２２は、２列に配列されると共にカード挿入方向Ａと平行な２本の直線に沿って均等に離間する。そして、複数のコンタクト２０の全ての支持部２４も、カード挿入方向Ａと平行な２本の直線に沿って２列に配列される。このような構成は、カードコネクタからのカード又はカードトレイが引き出される際に、コンタクト２０の接触部２２がカード又はカードトレイにより引っ掻かれるリスクを効果的に防止無くし又は最小にすることができる。必要なら、複数のコンタクト２０の接触部２２は、３列、４列又はそれ以上の列に配列されてもよい。
【００４３】
図２に示されるように、複数のコンタクト２０の全ての接触部２２は、２列に配列されると共にカード挿入方向Ａと平行な２本の直線に沿って均等に離間する。そして、複数のコンタクト２０の全ての支持部２４は４列に配列される。各接触部２２列の両側に１列の支持部２４が配列される。
【００４４】
図２に示されるように、各接触部列の両側に配列された２列の支持部において、一方の列の支持部２４及び他方の列の支持部２４は、カード挿入方向Ａに沿って交互に配列される。このように、一方の列の支持部２４は、他方の列の支持部の間に間隙をもって配列され、カード挿入方向Ａに沿って隣接する２個の接触部間の距離を小さくすることができる。例えば、図２に示されるように、各接触部２２列の隣接する２個の接触部２２間の距離ｄ２は、線上に突出する接触部２２の列の一側で１列の支持部の隣接する２個の支持部の隣接する２本の弾性アームの合計長さより短い。一実施形態において、各接触部２２列の隣接する２個の接触部２２間の距離ｄ２は2.54mmと等しく、すなわち、例えばカード挿入方向Ａに沿ったＳＩＭカード１００上の隣接する２個のパッド１１０間の距離と等しい。
【００４５】
複数のコンタクト２０の支持部が各接触部２２列の両側に交互に配列される場合、及び各接触部２２列の隣接する２個の接触部２２間の距離が線上に突出する接触部２２の列の一側で１列の支持部の隣接する２個の支持部の隣接する２本の弾性アームの合計長さより短い場合、カード挿入方向Ａに沿ったカードコネクタの全長は最小になる。
【００４６】
別の実施形態において、複数のコンタクトの支持部は、各接触部列の両側に交互に配列されなくてもよい。
【００４７】
図４は、図２のコンタクト配列の変形例を示す。一実施形態において、カードに電気接触するための全てのコンタクトは、単一の打抜き工程により形成され、次に基部がオーバモールドによりコンタクト上に成形され、最後にコンタクト間の接続部が切断される。
【００４８】
当業者であれば、上述の実施形態は例示を意図されており、限定を意図したものではないことを理解されたい。よ。例えば、当業者であれば上述の実施形態に多くの変形を加えることができ、異なる実施形態に記載された様々な特徴は構成又は原理において矛盾することなく、互いに自由に組み合わせることができる。
【００４９】
いくつかの典型的な実施形態を図示し説明したが、当業者であれば、本発明の原理及び真髄から逸脱することなく、実施形態に変形や変更を加えること、及び本発明の範囲は特許請求の範囲及びその等価物で定義されることが理解されよう。
【図１】
2015185544.tif 000003
【図２】
2015185544.tif 000004
【図３】
2015185544.tif 000005
【図４】
2015185544.tif 000006
【図５】
2015185544.tif 000007
【図６】
2015185544.tif 000008
【図７】
2015185544.tif 000009
【図８】
2015185544.tif 000010
【図９】
2015185544.tif 000011
【図１０】
2015185544.tif 000012
【図１１】
2015185544.tif 000013